(57)【要約】 【課題】  簡素な構成であって、快適に安全に実施できる牽引治療装置６を提供すること。【解決手段】  背凭１、座部２、下肢受３、フレーム３４、基台部４及び牽引機構５等とからなる牽引治療装置６において、背凭１の両側部に位置してフレーム３４に設けられる脇支持具７は、フレーム３４に取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくと、脇パッド１０が患者の脇に好適に当接することを特徴とする牽引治療装置である。【選択図】  図２
2009112433.tif 000002
【特許請求の範囲】
【請求項１】
背凭１、座部２、下肢受３、フレーム３４、基台部４及び牽引機構５等とからなる牽引治療装置６において、背凭１の両側部に位置してフレーム３４に設けられる脇支持具７は、フレーム３４に取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、
患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくと、脇パッド１０が患者の脇に好適に当接することを特徴とする牽引治療装置。
【請求項２】
脇アーム軸８は、患者の脇より足方向へ寄った位置であって、背凭１の左右側に位置しフレーム３４に設けられ、脇アーム９は脇アーム軸８を中心に患者の脇へ向かって伸び円弧状に回動可能であって、脇アーム９は、脇アーム軸８に取着される固定片１５に、脇パッド１０が取着される移動片１６を固定手段３１で固定して繋いでなり、脇アーム９の延出長さは段階的に調節できるものになし、
調節した脇アーム９の延出長さ段階に係る段階値は認知でき、その認知した段階値をもって脇アーム９の延出長さが再現できることを特徴とする請求項１記載の牽引治療装置。
【請求項３】
フレーム３４に脇アーム軸８を支持する軸受１１が設けられ、軸受１１にはキー溝１２が設けられ、脇アーム軸８の所定位置にはキー１３が突設され、キー１３はキー溝１２に嵌って脇アーム軸８の回動を所定角度範囲に制限するものであり、又、軸受１１と脇アーム軸８との間に渦巻バネ１４が取着され、
脇アーム９は渦巻バネ１４に付勢されて回動し背凭１の外方の所定角度に停止し、脇パッド１０は、牽引治療装置６の乗降を障害しない位置に有ることを特徴とする請求項１又は２記載の牽引治療装置。
【請求項４】
固定片１５には、ノブネジ２１を貫通させるノブ穴１８が開けられると共に２個１組の長さ調節用ピン１７が設けられ、移動片１６には、ノブネジ２１を螺子止めするノブ雌ネジ１９が複数個列設されると共に２個１組の長さ調節用穴２０が長手方向に複数組み列設されてなり、固定手段３１をノブネジ２１とし、
脇アーム９の長さ調節の際に、長さ調節用ピン１７をいずれか選択した長さ調節用穴２０に嵌合すると、固定片１５のノブ穴１８はいずれかのノブ雌ネジ１９に符合し、ノブ雌ネジ１９へノブネジ２１を螺子止め可能であることを特徴とする請求項２記載の牽引治療装置。
【発明の詳細な説明】
【技術分野】
【０００１】
本発明は、腰痛症患者に対して腰椎の牽引治療を行う牽引治療装置に関するものである。
【背景技術】
【０００２】
従来からの牽引治療装置として、患者が着座する座部と背凭部を備えた椅子部を基台部に対して後方向に倒伏させた後、座部を背凭部に対して離間する方向に移動させて、腰椎の牽引治療を行う椅子型の牽引治療装置６等が知られている。
【特許文献１】特開２００６−８７８５３号公報
【発明の開示】
【発明が解決しようとする課題】
【０００３】
上記特許文献１に記載される牽引治療装置には、患者の頭上方向の軸から長く脇アームが伸びて来ている。脇アームを患者の脇に装着すると、該脇アームで患者の脇の下方移動を阻止できる。
しかし、患者が牽引治療装置に乗降する時や脇パッドを脇に装着する時、長尺な脇アームを半径にして脇パッドを動かすから、危険であり、又、脇アームを剛性に製作しなければならないからコストも嵩む。
【０００４】
本発明はかかる問題点に鑑みてなされたもので、その目的とするところは、簡素な構成であって、快適に安全に実施できる牽引治療装置を提供することにある。
【課題を解決するための手段】
【０００５】
即ち本発明は、背凭１、座部２、下肢受３、フレーム３４、基台部４及び牽引機構５等とからなる牽引治療装置６において、背凭１の両側部に位置してフレーム３４に設けられる脇支持具７は、フレーム３４に取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくと、脇パッド１０が患者の脇に好適に当接することを特徴とする牽引治療装置である。
又、脇アーム軸８は、患者の脇より足方向へ寄った位置であって、背凭１の左右側に位置しフレーム３４に設けられ、脇アーム９は脇アーム軸８を中心に患者の脇へ向かって伸び円弧状に回動可能であって、脇アーム９は、脇アーム軸８に取着される固定片１５に、脇パッド１０が取着される移動片１６を固定手段３１で固定して繋いでなり、脇アーム９の延出長さは段階的に調節できるものになし、調節した脇アーム９の延出長さ段階に係る段階値は認知でき、その認知した段階値をもって脇アーム９の延出長さが再現できる。
更に、フレーム３４に脇アーム軸８を支持する軸受１１が設けられ、軸受１１にはキー溝１２が設けられ、脇アーム軸８の所定位置にはキー１３が突設され、キー１３はキー溝１２に嵌って脇アーム軸８の回動を所定角度範囲に制限するものであり、又、軸受１１と脇アーム軸８との間に渦巻バネ１４が取着され、脇アーム９は渦巻バネ１４に付勢されて回動し背凭１の外方の所定角度に停止し、脇パッド１０は、牽引治療装置６の乗降を障害しない位置に有る。
更に又、固定片１５には、ノブネジ２１を貫通させるノブ穴１８が開けられると共に２個１組の長さ調節用ピン１７が設けられ、移動片１６には、ノブネジ２１を螺子止めするノブ雌ネジ１９が複数個列設されると共に２個１組の長さ調節用穴２０が長手方向に複数組み列設されてなり、固定手段３１をノブネジ２１とし、脇アーム９の長さ調節の際に、長さ調節用ピン１７をいずれか選択した長さ調節用穴２０に嵌合すると、固定片１５のノブ穴１８はいずれかのノブ雌ネジ１９に符合し、ノブ雌ネジ１９へノブネジ２１を螺子止め可能である。
【発明の効果】
【０００６】
本発明に係る脇支持具７は、フレーム３４に取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくものであるから、個々の患者の体型に適した脇パッド１０の位置調節が可能になり、脇パッド１０が患者の脇に好適に当接し、牽引治療中、患者に苦痛を与えず心身に与える負担を少なくでき、快適に牽引治療を行なえ、好都合である。
又、従来技術の脇支持具を背凭１の上方部に位置して該脇支持具をフレーム３４に設け、脇パッド１０を患者の脇へ当接させるオーバーセット方式に比して、本発明の、脇支持具7を背凭１の側部に位置して該脇支持具をフレーム３４に設け、脇パッド１０を患者の脇へ当接させるサイドセット方式の方が、構成を簡単にでき、製造コストも安くでき、好都合である。
又、従来技術のオーバーセット方式は、脇パッド１０をセッティングする時、脇アーム９を患者の前面で大きく振り回すが、本発明のサイドセット方式は、脇パッド１０をセッティングする時、脇アーム９を大きく振り回すことは無く、脇パッド１０を脇側へ寄せるだけなので、安全であり、占有空間も小さく、好都合である。
【０００７】
本発明に係る脇アーム９は、脇アーム軸８に取着される固定片１５に、脇パッド１０が取着される移動片１６を、固定手段３１で複数箇所を択一して固定してなり、脇アーム軸８から延出される脇アーム９の長さを段階的に調節できるものであり、調節した脇アーム９の延出長さ段階に係る段階値は認知できるものであるから、脇アーム９の延出長さの調節を、固定手段３１で複数箇所を択一して固定するという操作をもって簡単に行なえ、好都合である。
又、認知した段階値をもって脇アーム９の延出長さの再現を、上記固定操作をもって容易に行なえ、好都合である。
【０００８】
本発明は、フレーム３４と脇アーム軸８との間に渦巻バネ１４が取着され、脇アーム９は渦巻バネ１４に付勢されて回動し背凭１の外方の所定角度に停止されるものとし、脇パッド１０は、患者が牽引治療装置６に乗降し易い位置に有るから、患者にとって、牽引治療装置６へ乗降する際脇パッド１０が邪魔にならず、乗降が容易であり、好都合である。
更に、脇パッド１０は所定の位置に待機しているので、施療者又は患者は、該脇パッド１０の装着が、患者の脇へ向けて寄せるという操作をもって容易に軽微な力で行なえ、好都合である。
【０００９】
本発明は、脇アーム９の延出長さ調節は、２個１組の長さ調節用ピン１７を２個１組の長さ調節用穴２０に選択的に嵌合して行ない、長さ調節用ピン１７を長さ調節用穴２０に嵌合させると、固定片１５のノブ穴１８に符合する位置にノブ雌ネジ１９が移動片１６に開設されているから、脇アーム９の延出長さ調節は、上記嵌合操作をもって、確実に行なえ安全性も確保出来好都合である。
又、脇アーム９の延出長さ調節は、上記固定片１５を移動片１６にノブネジ２１で螺子止めする操作をもって容易に行なえ、好都合である。
【発明を実施するための最良の形態】
【００１０】
簡素な構成であって、快適に安全に実施できる牽引治療装置６を提供する目的を、背凭１、座部２、下肢受３、フレーム３４、基台部４及び牽引機構５等とからなる牽引治療装置６において、背凭１の両側部に位置してフレーム３４に設けられる脇支持具７は、フレーム３４にに取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくと、脇パッド１０が患者の脇に好適に当接する牽引治療装置として、実現した。
【実施例１】
【００１１】
図１乃至５に実施例１を示している。図１は背凭１が起立状態にある牽引治療装置６を示す右側面、図２、３、４、５は脇支持具７示す部分図、図６は脇アーム軸８の断面図、図８は背凭１が倒伏状態にある牽引治療装置６を示す右側面である。
【００１２】
牽引治療装置６は、患者の上半身を保持する背凭１と、患者の腰、臀部等を保持する座部２と、患者の下肢を保持する下肢受３と、背凭１、座部２及び下肢受３を支持するフレーム３４と、フレーム３４を支持する基台部４と、基台部４に設けられ患者の腰椎に牽引治療を施す牽引機構５とからなる。
フレーム３４に、背凭１と、座部２と、下肢受３と、脇支持具７と、肘置具２７とが取着される。
牽引機構５は、座部２及び下肢受３を患者の足方向へ移動させるものである。
【００１３】
背凭１の左右に位置してフレーム３４に軸受１１がそれぞれ設けられこれらにそれぞれ脇支持具７が設けられる。軸受１１は、患者の脇より下方位置である。
【００１４】
座部２は患者が着座するものである。座部２は背凭１の下端に位置し、フレーム３４に移動可能に取着される。座部２は、患者の下半身を支持する。座部２に、患者の腰部を座部２に固定する腰装具２２が取着される。
下肢受３は、患者の下肢を支持するものであり、座部２の下端に取着される。
フレーム３４は、基台部４に支軸２４で軸止される。
【００１５】
基台部４とフレーム３４との間にリクライニング用アクチュエータ２５が架設される。
基台部４は、床面にアジャスター２３を介して載置される。
フレーム３４は、リクライニング用アクチュエータ２５により、前方向に起立可能に又後方向に倒伏可能に設けられる。
【００１６】
収縮状態のリクライニング用アクチュエータ２５を伸長方向に作動させると背凭１が起立する方向（前方向）へ回動する。
伸長状態のリクライニング用アクチュエータ２５を収縮方向に作動させると背凭１が倒伏する方向（後方向）へ回動する。
所定起立位置で起立動作が自動停止するよう制御が行われ、又、所定倒伏位置で倒伏動作が自動停止するよう制御が行われる。
背凭１は、フレーム３４と共に、前方向に起立に又後方向に倒伏する。座部２は、フレーム３４に取着されており、下肢受３は座部２に取着されているので、座部２及び下肢受３は、背凭１と一体的に回動する。
【００１７】
牽引機構５は、座部２及び下肢受３を支持しフレーム３４に摺動可能に設けられる牽引台３６と、牽引台３６とフレーム３４とに亘って設けられ牽引台３６を摺動させる牽引用アクチュエータ３５と、牽引用アクチュエータ３５を制御する制御部（図示省略）でなる。
牽引用アクチュエータ３５を伸長させると、牽引台３６と共に座部２及び下肢受３が滑らかに患者の足方向に、往移動し、患者の腰椎に牽引力を付与する。
牽引用アクチュエータ３５を収縮させると、牽引台３６と共に座部２及び下肢受３が滑らかに復移動し、牽引力は消失する。
牽引用アクチュエータ３５を伸長・収縮させると、牽引台３６と共に座部２及び下肢受３が滑らかに患者の足方向とその逆方向に、往復移動し、患者に間歇的な牽引治療を施す。
【００１８】
背凭１の両側部に位置してフレーム３４に、患者の両脇を支持する脇支持具７が設けられる。
脇支持具７は、背凭１側から患者の前面方向へ突出する脇アーム軸８と、脇アーム軸８に取着され延出長さを調節可能な脇アーム９と、脇アーム９の先部に取着され牽引治療装置６に乗る患者の脇に当接する脇パッド１０とからなる。
脇支持具７は、腰椎牽引治療時に患者の脇に当たり、足方向へ動こうとする患者の上半身を移動しないように支持するものである。
【００１９】
脇アーム軸８はフレーム３４に設けられた軸受１１に取着される。
脇アーム軸８は、患者の脇より下方位置であって、背凭１の左右側に位置してフレーム３４にそれぞれ設けられる。
脇アーム軸８から患者の脇へ向かって脇アーム９が伸びる。脇アーム軸８の所定位置にはキー１３が突設される。軸受１１にはキー溝１２が設けられる。
キー１３は、キー溝１２に嵌って脇アーム軸８の回動を所定角度範囲に制限するものである。
【００２０】
軸受１１には渦巻バネ１４が収容される。渦巻バネ１４の基端は脇アーム軸８（回動側）に止着され、渦巻バネ１４の先端は軸受１１（固定側）に取着される。
脇アーム軸８は一方向へ回動するように渦巻バネ１４で付勢される。
【００２１】
脇アーム軸８に脇アーム９の基部が取着される。脇アーム９は脇アーム軸８を中心に円弧状に回動可能である。
脇アーム９はその延出長さを個々人の体型に合わせて調節できるものである。
脇アーム９は、基部が脇アーム軸８に取着される固定片１５と、先部に脇パッド１０が取着される移動片１６と、移動片１６を固定片１５に固定する固定手段３１とからなり、固定片１５に移動片１６が延長状に連結されてなる。
【００２２】
脇アーム９は、脇アーム軸８と共に回動し、渦巻バネ１４の付勢力により、背凭１の外方の所定角度に停止される。
脇アーム９は、背凭１の側部にあって背凭１の中央方向（遊端が患者に接近する方向）の内回りと、背凭１の外方向の外回り（遊端が患者から離間する方向）とに円弧状に往復回動できる。
脇アーム９は、牽引治療に使用していない時は、渦巻バネ１４の付勢力により、外回りの限度端で停止し待機している。
【００２３】
前記固定片１５には、ノブネジ２１を貫通させるノブ穴１８が開けられると共に２個１組の長さ調節用ピン１７が突設される。
前記移動片１６には、ノブ雌ネジ１９が、３個列設されると共に２個１組の長さ調節用穴２０が長手方向に３組み列設される。
１組の長さ調節用穴２０は、その３組みのいずれへも１組の長さ調節用ピン１７を嵌合できるように移動片１６に開設される。
脇アーム９の長さを調節する際に、長さ調節用ピン１７をいずれか選択した長さ調節用穴２０に嵌合すると、固定片１５のノブ穴１８はいずれかのノブ雌ネジ１９に符合する。
【００２４】
固定手段３１（具体例では、ノブネジ２１）をノブ雌ネジ１９に螺子止めして固定片１５を移動片１６に固定する。
ノブ穴１８はノブ雌ネジ１９に符合するので、ノブネジ２１の螺子止めが可能である。
【００２５】
脇アーム軸８から延出される脇アーム９の延出長さを段階的に調節できる。即ち、脇アーム軸８から脇パッド１０までの距離を段階的に調節できる。
具体例では、延出長さは３段階であり、延出長さが短い「１」（短）、延出長さが中位の「２」（標準）、延出長さが長い「３」（長）の３個の段階値で示す。
段階値１、２、３のいずれかに脇アーム９の延出長さを調節する。段階値１、２、３は、目視で容易に施療者に認知できる。
上記認知した段階値１、２、３のいずれかをもって移動片１６を固定片１５にあてがって固定すれば、いつでも脇アーム９の延出長さが再現できる。
【００２６】
脇パッド１０は円柱形のものでありその表面は軟材で作られる。
脇アーム９の先部に取着された脇パッド１０は、円弧軌跡上を移動する。脇パッド１０は、外力が加わらない時は、渦巻バネ１４の付勢力により背凭１の外方の位置に有り、患者が牽引治療装置６に乗降する時、邪魔にならない位置に待機している。
【００２７】
牽引治療に際して、脇パッド１０は、患者の脇方向へ移動させ、脇に挟む。牽引治療中は脇が脇パッド１０に当る位置に保持して用いる。
上記脇アーム９の長さ調節により、牽引治療時に、脇パッド１０は患者の脇に好適に装着される。
肘置具２７は、背凭１の両側部の位置にあってフレーム３４に固着される。
【００２８】
図１中、２６は背凭１の上部表面に面ファスナー等の適宜な手段により着脱自在に設けられる枕、図２中、３３は軸受基部である。
【００２９】
牽引治療を行なうに当って、先ず、施療者は脇アーム９の延出長さを調節しセッティングする。通常は段階値「２」で進めるが、患者の体型に対応して、「１」又は「２」に長さを調節する。
変更する際はノブネジ２１を外す。移動片１６を、患者の体型に合わせて移動する。例えば、身長の低い患者又は肥満の患者には段階値「１」の位置とし、身長の高い患者又は痩せた患者には段階値「３」の位置とする。通常は、身長の標準の患者又は中肉の患者用に段階値「２」の位置としている。
【００３０】
患者の体型に合わせて長さ調節用ピン１７を、段階値「１」、「２」、「３」のいずれかの長さ調節用穴２０に嵌め、ノブネジ２１を、ノブ穴１８に通した後ノブ雌ネジ１９にネジ止めする。
脇アーム９の長さを調節する際に、長さ調節用ピン１７を選択した長さ調節用穴２０に嵌めると、固定片１５のノブ穴１８はノブ雌ネジ１９に符合する。
ノブ穴１８はノブ雌ネジ１９に符合するするので、ノブネジ２１を、ノブ穴１８を貫通しノブ雌ネジ１９に螺子止めする。
【００３１】
次に、患者は背凭１、座部２及び下肢受３に乗る。渦巻バネ１４の付勢力により脇アーム９は背凭１の外方に向いて開いている。
脇アーム９は背凭１の外方に向いて開いているから、脇パッド１０は、背凭１の外方の位置に有り、患者が乗る時、該脇パッド１０は障害にはならない。
脇パッド１０を脇下へ移動し、脇に挟む。腰装具２２で患者の腰を座部２に固定する。
【００３２】
次に、操作パネル２８の倒伏スイッチ（図示省略）を押下し、リクライニング用アクチュエータ２５を収縮させ、背凭１、座部２及び下肢受３を倒伏させる。背凭１が所定倒伏位置に至ると倒伏作動が終了する。
【００３３】
倒伏作動が終了した後、牽引治療作動に移る。操作パネル２８の牽引スイッチ（図示省略）を投入する。
牽引用アクチュエータ３５が伸長作動し、牽引台３６と共に座部２及び下肢受３は背凭１から離間する方向へ（牽引台３６と共に座部２及び下肢受３は足方向へ）移動する。
牽引台３６、座部２及び下肢受３の移動により、先ず弛みを取り、続いて、腰椎に牽引力を付与し、腰椎牽引を行ない、牽引治療する。
牽引用アクチュエータ３５に設けられた検出器（図示省略）が予め設定した牽引力値に至ると牽引用アクチュエータ３５の伸長作動を停止する。
この牽引力が働いている時、患者の腰が腰装具２２で足方向に引っ張られると共に、脇は脇パッド１０に押し当る。
脇アーム９の延出長さが調節されているので、脇パッド１０は患者の両脇に好適に当る。
所定の暫時後、牽引用アクチュエータ３５が収縮し、牽引台３６と共に座部２及び下肢受３が復元移動する。本発明では、牽引と弛緩を繰り返す間歇牽引を行なう。
【００３４】
所定の牽引治療時間が経過すると、牽引治療作動を終了する。詳しくは、上述した牽引動作と復元動作を繰り返した後、牽引用アクチュエータ３５が収縮作動を開始する。牽引台３６と共に座部２及び下肢受３を初頭の位置まで復元移動させる。
次に、操作パネル２８の起立スイッチ（図示省略）を押下し、リクライニング用アクチュエータ２５を伸長させ、背凭１、座部２及び下肢受３を起立させる。背凭１が所定起立位置に至ると起立作動が終了する。
【００３５】
患者の腰部に巻き回している腰装具２２の結合を解放し、患者を座部２から降ろし牽引治療作動を終了する。
【００３６】
脇アーム９の延出長さに係る段階値「１」、「２」、「３」のうちのいずれかは認知できているので、以後、当該患者に対して、認知した段階値をもって、脇アーム９の延出長さを再現する。
【実施例２】
【００３７】
図７に示す実施例２は、実施例１のノブネジ２１を、プランジャー２９に代えたものである。
実施例２の脇アーム９は、脇アーム軸８に取着される筒３０に、脇パッド１０が取着される移動片１６を摺動可能に貫通させ、移動片１６をプランジャー２９で固定する。
脇アーム９は、筒３０に移動片１６を繋ぎ、該筒３０を延長させて構成される。
脇アーム９の延出長さを変更する時は、先ず、プランジャー２９の外側端部を摘んでバネ（図示省略）に抗して引く。
【００３８】
プランジャー２９の先端部をプランジャー用穴３２から抜く。移動片１６を摺動させた後、プランジャー２９を放す。
引き続き移動片１６を摺動させると、移動片１６に開設された他のプランジャー用穴３２がプランジャー２９の先端部に合致し、前記先端部が他のプランジャー用穴３２に自動的に嵌まる。
プランジャー２９が固定作用を現わし、移動片１６が筒３０に固定され、脇アーム９の延出長さが変更される。
【産業上の利用可能性】
【００３９】
背凭１、座部２、下肢受３、フレーム３４、基台部４及び牽引機構５等とからなる牽引治療装置６において、背凭１の両側部に位置してフレーム３４に設けられる脇支持具７は、フレーム３４に取着される脇アーム軸８と、脇アーム軸８に取着され延出長さを調節可能な脇アーム９と、脇アーム９の先部に取着され牽引治療装置６に乗る患者の脇に当接し背側から前面方向へ突出する脇パッド１０とからなり、患者の腰が止着された座部２を、牽引機構５で患者の足方向へ動かして、弛み取り及び牽引治療を行ない、弛み取り作動及び牽引治療作動の時に、脇アーム９の延出長さを個々人の体型に合わせて予め調節しておくと、脇パッド１０が患者の脇に好適に当接する牽引治療装置を、簡素な構成であって、快適に安全に実施できる牽引治療装置に適用できる。
【図面の簡単な説明】
【００４０】
【図１】本発明の実施例１の右側面図である。
【図２】本発明の実施例１の脇支持具を示す部分図である。
【図３】本発明の実施例１の脇支持具を示す部分図である。
【図４】本発明の実施例１の脇支持具を示す部分図である。
【図５】本発明の実施例１の脇支持具を示す部分図である。
【図６】本発明の実施例１のキー及びキー溝を示す部分断面図である。
【図７】本発明の実施例２の脇支持具を示す部分図である。
【図８】本発明の実施例１の背凭を倒伏状態にした右側面図である。
【符号の説明】
【００４１】
１  背凭
２  座部
３  下肢受
４  基台部
５  牽引機構
６  牽引治療装置
７  脇支持具
８  脇アーム軸
９  脇アーム
１０  脇パッド
１１  軸受
１２  キー溝
１３  キー
１４  渦巻バネ
１５  固定片
１６  移動片
１７  長さ調節用ピン
１８  ノブ穴
１９  ノブ雌ネジ
２０  長さ調節用穴
２１  ノブネジ
３１  固定手段
３４  フレーム
【図１】
2009112433.tif 000003
【図２】
2009112433.tif 000004
【図３】
2009112433.tif 000005
【図４】
2009112433.tif 000006
【図５】
2009112433.tif 000007
【図６】
2009112433.tif 000008
【図７】
2009112433.tif 000009
【図８】
2009112433.tif 000010